(57)【要約】      （修正有）【課題】大便器本体にジェットポンプ式の給水機構が搭載された構成としながら、ボウル部に供給される洗浄水の総量を低減することのできる水洗大便器装置を提供する。【解決手段】水洗大便器装置は、スロート管３２０の内部を流れる水の流量を、ノズル３１０から噴射された水の流量よりも増大させるジェットポンプ作用を誘発させて、増大した流量の水を吐水部供給するものであって、ジェットポンプユニットにより第一流量の水を吐水部に供給する第一工程と、第一工程の後に続いて、ジェットポンプユニットにより第一流量よりも小さい第二流量の水を吐水部供給する第二工程と、が順に実行されるよう、ジェットポンプユニットの流路状態を切り替える流路状態切替手段を更に備え、流路状態切替手段は、ジェットポンプユニットの内部を流れる水の一部をタンク内に流出させるように、ジェットポンプユニットの流路状態を切り替える。【選択図】図７
2015086686.tif 000002
【特許請求の範囲】
【請求項１】
洗浄水によって大便器本体を洗浄する水洗大便器装置であって、
汚物を受け止めるボウル部と、汚物を排出するための水を吐出して前記ボウル部に供給する吐水部と、を有する大便器本体と、
内部に水を貯留しているタンクと、
前記タンクの内部において少なくとも一部が水没した状態で配置されたジェットポンプユニットと、を備え、
前記ジェットポンプユニットは、
一端側に吸引口が形成された管であって、前記吸引口から内部に流入した水が前記吐水部に供給され、前記吐水部から洗浄水として吐出されるように配置されたスロート管と、
前記吸引口から前記スロート管の内部に向けて高速の水を噴射するノズルと、を有しており、
前記スロート管の内部を流れる水の流量を、前記ノズルから噴射された水の流量よりも増大させるジェットポンプ作用を誘発させて、増大した流量の水を前記吐水部に供給するものであって、
前記ジェットポンプユニットにより第一流量の水を前記吐水部に供給する第一工程と、前記第一工程の後に続く工程であって、前記ジェットポンプユニットにより前記第一流量よりも小さい第二流量の水を前記吐水部に供給する第二工程と、が順に実行されるよう、前記ジェットポンプユニットの流路状態を切り替える流路状態切替手段を更に備えており、
前記流路状態切替手段は、前記ジェットポンプユニットの流路を流れる水の一部を前記タンク内に流出させるように、前記ジェットポンプユニットの流路状態を切り替えるものであって、少なくとも前記第一工程よりも前記第二工程の方が、前記タンク内に流出させる水の流量が大きくなるように前記ジェットポンプユニットの流路状態を切り替えるよう構成されていることを特徴とする水洗大便器装置。
【請求項２】
前記流路状態切替手段は、前記第一工程において前記吐水部に供給される水の流量が大きい程、前記第一工程から前記第二工程に移行するタイミングを早くするように構成されていることを特徴とする、請求項１に記載の水洗大便器装置。
【請求項３】
前記流路状態切替手段は、前記タンク内の水位が、満水位よりも低く且つ前記吸引口よりも高い位置に設定された所定水位まで低下すると、前記第一工程から前記第二工程に移行するように構成されていることを特徴とする、請求項２に記載の水洗大便器装置。
【請求項４】
前記流路状態切替手段は、前記第二工程において、前記ジェットポンプ作用によって吸引される前記タンク内の水の流量よりも小さい流量の水を前記タンク内に吐出するよう構成されていることを特徴とする請求項１に記載の水洗大便器装置。
【請求項５】
前記流路状態切替手段は、前記第二工程において、前記スロート管の内部を流れる水の一部を前記タンク内の水没した位置に吐出するよう構成されていることを特徴とする請求項１に記載の水洗大便器装置。
【請求項６】
前記流路状態切替手段は、前記第二工程において、前記スロート管の内部を流れる水の一部を前記タンクの底面に向けて吐出するよう構成されていることを特徴とする請求項５に記載の水洗大便器装置。
【発明の詳細な説明】
【技術分野】
【０００１】
本発明は、洗浄水によって大便器本体を洗浄する水洗大便器装置に関する。
【背景技術】
【０００２】
従来、大便器本体に洗浄水を供給するための機構として、タンク式や直圧式の給水機構を用いた水洗大便器装置が広く普及している。
【０００３】
タンク式の給水機構は、タンク内に予め水を貯留しておき、当該水を洗浄水として大便器本体に供給するものである。このようなタンク式の給水機構においては、洗浄水として供給する水の全てをタンク内に貯留しておく必要があるため、水洗大便器装置に搭載するタンクが大型してしまうという課題があった。
【０００４】
また、大便器本体の洗浄が完了した後は、次回の洗浄のためにタンクを満水位としておく必要があるが、大型のタンクに水を注水して満水位とするには時間がかかってしまう。このため、タンク式の給水機構では連続的な（短時間毎の）洗浄を行うことが難しく、水洗大便器装置が高い頻度で使用されるような状況には適さないという課題があった。
【０００５】
直圧式の給水機構は、建物に配置された給水配管（水道管）内の水圧を利用して、給水配管から大便器本体に洗浄水を供給するものである。このような直圧式の給水機構においては、洗浄水の流量は給水配管内の水圧に依存するため、当該水圧が低い環境（例えば高層階）に水洗大便器装置が設置された場合には、洗浄性能が低下してしまうという課題があった。また、直圧式の給水機構によって大流量の水を供給可能とするには、水洗大便器装置に接続される給水配管を大口径とする必要がある。このため、大掛かりな工事を必要とするという課題があった。
【０００６】
以上のようなタンク式の給水機構における課題、及び直圧式の給水機構における課題の両方を、同時に解決することのできる給水機構として、ジェットポンプ式の給水機構が新たに提案されている（下記特許文献１を参照）。
【０００７】
下記特許文献１に記載されたジェットポンプ式の給水機構は、水を貯留したタンクを備えており、当該タンクの内部に、ジェットポンプユニットが水没した状態で配置されている。ジェットポンプユニットはスロート管を有しており、当該スロート管の一端は大便器本体のボウル部に向かう流路に接続され、他端には開口が形成されている。噴射ノズルから、開口を通じてスロート管の内部に向かうように水が噴射されると、ジェットポンプ作用が誘発されることによって、スロート管の内部ではボウル部に向かって大流量の水が流れる。噴射ノズルから噴射された水のみならず、タンク内に貯留されていた水も引き込まれてスロート管の内部を流れるため、大便器本体には大流量の洗浄水が供給される。
【０００８】
ジェットポンプ式の給水機構においては、洗浄水として大便器本体に供給する水の全てをタンク内に貯留しておく必要がない。このため、タンク式の給水機構に比べてタンクを小型化することができる上、タンクを満水位にするために必要な時間を短くすることができるという利点がある。また、給水配管内の水圧が比較的低い環境に水洗大便器装置が設置された場合であっても、大流量の洗浄水を大便器本体に供給することができる。更に、給水配管を大口径とするような大掛かりな工事を必要としないという利点もある。
【先行技術文献】
【特許文献】
【０００９】
【特許文献１】特開２００４−１５６３８２号公報
【発明の概要】
【発明が解決しようとする課題】
【００１０】
上記のようなジェットポンプ式の給水機構を水洗大便器装置に搭載した場合には、水道管内の水圧の変化や、タンク内の水位（位置エネルギー）の変化に影響されにくく、大流量且つ略一定流量の水が供給される。
【００１１】
しかしながら、本発明者らが鋭意研究を行ったところによれば、汚物が排出されるために最低限必要となる洗浄水の流量は、洗浄が行われる過程において常に一定なのではなく、時間の経過とともに変化することが判明した。つまり、ジェットポンプ式の給水機構によって常に一定流量の水が供給されると、一部の洗浄水が無駄になってしまう場合があるということが判明した。
【００１２】
このように、ジェットポンプ式の給水機構が搭載された構成の水洗大便器装置においては、ボウル部に供給される洗浄水の総量を低減し、更なる節水化を図る余地があった。
【００１３】
本発明はこのような課題に鑑みてなされたものであり、その目的は、大便器本体にジェットポンプ式の給水機構が搭載された構成としながら、ボウル部に供給される洗浄水の総量を低減することのできる水洗大便器装置を提供することにある。
【課題を解決するための手段】
【００１４】
上記課題を解決するために、本発明に係る水洗大便器装置は、洗浄水によって大便器本体を洗浄する水洗大便器装置であって、汚物を受け止めるボウル部と、汚物を排出するための水を吐出して前記ボウル部に供給する吐水部と、を有する大便器本体と、内部に水を貯留しているタンクと、前記タンクの内部において少なくとも一部が水没した状態で配置されたジェットポンプユニットと、を備え、前記ジェットポンプユニットは、一端側に吸引口が形成された管であって、前記吸引口から内部に流入した水が前記吐水部に供給され、前記吐水部から洗浄水として吐出されるように配置されたスロート管と、前記吸引口から前記スロート管の内部に向けて高速の水を噴射するノズルと、を有しており、前記スロート管の内部を流れる水の流量を、前記ノズルから噴射された水の流量よりも増大させるジェットポンプ作用を誘発させて、増大した流量の水を前記吐水部に供給するものであって、前記ジェットポンプユニットにより第一流量の水を前記吐水部に供給する第一工程と、前記第一工程の後に続く工程であって、前記ジェットポンプユニットにより前記第一流量よりも小さい第二流量の水を前記吐水部に供給する第二工程と、が順に実行されるよう、前記ジェットポンプユニットの流路状態を切り替える流路状態切替手段を更に備えており、前記流路状態切替手段は、前記ジェットポンプユニットの流路を流れる水の一部を前記タンク内に流出させるように、前記ジェットポンプユニットの流路状態を切り替えるものであって、少なくとも前記第一工程よりも前記第二工程の方が、前記タンク内に流出させる水の流量が大きくなるように前記ジェットポンプユニットの流路状態を切り替えるよう構成されていることを特徴とする。
【００１５】
本発明に係る水洗大便器装置は、大便器本体のボウル部に洗浄水を供給するための機構として、内部に水を貯留しているタンクと、タンクの内部に配置されたジェットポンプユニットとを備えている。
【００１６】
ジェットポンプユニットは、タンクの内部において少なくとも一部が水没した状態で配置されており、スロート管と、ノズルとを有している。スロート管は、一端側に吸引口が形成された管であって、吸引口から内部に流入した水が（他端側から）大便器本体の吐水部に供給され、吐水部から洗浄水として吐出されるように配置されている。
【００１７】
ノズルは、吸引口からスロート管の内部に向けて高速の水を噴射することにより、ジェットポンプ作用を誘発させるものである。当該ジェットポンプ作用により、吸引口にはノズルから噴射された水が流入するだけでなく、タンクに貯留されていた水も引き込まれて流入する。換言すれば、ジェットポンプ作用が生じることによって、スロート管の内部を流れる水の流量が、ノズルから噴射された水の流量よりも増大する（流量が増幅されるといってもよい）。大便器本体の吐水部には、このように増大した流量の水が供給されて、当該水が吐水部から吐出される。
【００１８】
本発明に係る水洗大便器装置では、ジェットポンプユニットによって吐水部に供給される水の流量を、洗浄終了までの間一定とするのでなく途中で変化させている。具体的には、第一流量の水を吐水部に供給する第一工程が実行された後、第一流量よりも小さい第二流量の水を吐水部に供給する第二工程が実行される。このような流量の変化は、流路状態切替手段がジェットポンプユニットの流路を流れる水の一部をタンク内に流出させるように、ジェットポンプユニットの流路状態を切り替えることによって実現される。
【００１９】
第一工程においては、吐水部には大流量且つ略一定の水がジェットポンプユニットから供給される。ボウル部に付着した汚物は短時間のうちに除去されるため、吐水部から水を吐出する時間を短縮し、節水化を図ることができる。
【００２０】
また、第一工程に続く第二工程においては、流路状態切替手段によって、少なくとも第一工程よりも第二工程の方が、タンク内に流出させる水の流量が大きくなるようにジェットポンプユニットの流路状態を切り替えることで、少なくとも第一工程よりも少ない流量の水が吐水部へと供給される（第一流量から第二流量に変化する）。
【００２１】
ところで、大便器本体の種類として、ウォッシュダウン式の大便器本体というものがある。ウォッシュダウン式の大便器本体とは、「洗い落とし式の大便器本体」とも称されるものであって、ボウル部から排水管に向かう大きな水流を形成することによって汚物に運動量を与え、汚物を排水管へと移動させて排出するものである。このウォッシュダウン式の大便器本体にジェットポンプユニットを搭載した場合にあっては、吐水部に水が供給されている期間の全体において、汚物の排出性能を確保しながら、洗浄水の総量を低減することができるという効果を奏する。この効果を奏する理由について以下に説明する。
【００２２】
ウォッシュダウン式の大便器本体において汚物が排出されるために最低限必要となる洗浄水の流量は、洗浄の開始から終了まで常に一定ではなく、時間の経過とともに変化する。
【００２３】
具体的には、洗浄の開始では、静止した状態でボウル部内に貯留されていた水に運動量を与えて水流を形成する必要があるため、大流量（第一流量）の洗浄水を供給する必要がある。ところが、洗浄の開始に続く洗浄途中期では、ボウル部内には既に水流が形成されており、その水には慣性力が働いているのであるから、ボウル部内の水流を維持するために必要な水の流量は、第一流量よりも小さくなる。
【００２４】
このため、洗浄の開始から終了まで常に一定流量の水が供給されると、必要以上の洗浄水が供給されることになり、一部の洗浄水が無駄になってしまう。
【００２５】
そこで本発明のように第一工程と第二工程とが順に実行されるような構成とし、吐水部に供給される水の流量を減少させれば（第一流量から第二流量に変化させれば）、洗浄性能を犠牲にすることなく節水性を高めることができる。
【００２６】
また水の流量を減少させることで、大流量（第一流量）の供給時には排出されにくいボウル部内に浮遊している軽い汚物が排出されやすくなるという利点があり、このような軽い汚物の排出性能を確保するためにも水の流量を減少させることが好ましいものである。
【００２７】
以上のように、ウォッシュダウン式の大便器本体にジェットポンプユニットを搭載した場合には、洗浄水が供給されている期間の全体において、汚物の排出性能を確保しながら、ボウル部に供給される洗浄水の総量を低減することができるという効果がある。その結果、洗浄性能を犠牲にすることなく、節水性を高めることができる。
【００２８】
上述したウォッシュダウン式の大便器本体の他に、サイホン式の大便器本体というものがある。サイホン式の大便器本体とは、排水管の屈曲部を満水にしてサイホン作用を発生させることによって汚物を排水管下流側へと移動させて排出するものである。このサイホン式の大便器本体にジェットポンプユニットを搭載した場合にあっては、洗浄水が供給されている期間の全体において、汚物の排出性能を確保しながら、洗浄水の総量を低減することができるという効果を奏する。この効果を奏する理由について以下に説明する。
【００２９】
サイホン式の大便器本体において汚物が排出されるために最低限必要となる洗浄水の流量は、洗浄の開始から終了まで常に一定なのではなく、時間の経過とともに変化する。
【００３０】
具体的には、洗浄が開始された直後では、排水管の屈曲部を満水にしてサイホン作用を発生させる必要があるため、屈曲部が早く満水になるように大流量の洗浄水を供給する必要がある。
一方、屈曲部が一度満水になった後は、満水状態を維持するために必要な水の供給量は小さくなる。つまり、サイホン作用が発生した後は、供給される水の量が減少しても満水状態は維持され、サイホン作用は継続的に発生する。
【００３１】
このため、洗浄の開始から終了まで常に一定流量の水が供給されると、必要以上の洗浄水が供給されることになり、一部の洗浄水が無駄になってしまう。
【００３２】
そこで、本発明のように第一工程と第二工程とが順に実行されるような構成とし、吐水部に供給される水の流量を減少させれば（第一流量から第二流量に変化させれば）、洗浄性能を犠牲にすることなく節水性を高めることができる。
【００３３】
また水の流量を減少させることで、大流量（第一流量）の供給時には排出されにくいボウル部内に浮遊している軽い汚物が排出されやすくなるという利点があり、このような軽い汚物の排出性能を確保するためにも水の流量を減少させることが好ましいものである。
【００３４】
以上のように、サイホン式の大便器本体にジェットポンプユニットを搭載した場合には、吐水部に水が供給されている期間の全体において、汚物の排出性能を確保しながら、洗浄水の総量を低減することができるという効果がある。その結果、洗浄性能を犠牲にすることなく、節水性を高めることができる。
【００３５】
更に、旋回流式の大便器本体というものがある。旋回流式の大便器本体とは、ボウル部の上縁部に形成されたリム部に沿って水を旋回させ、当該水をリム部の全体（全周）からボウル部に向けて流下させるものである。この旋回流式の大便器本体にジェットポンプユニットを搭載した場合にあっては、吐水部に水が供給されている期間の全体において、リム部から水が溢れてしまうことを確実に防止しながら、可能な限り大流量の水を吐水部に供給することができる。この効果を奏する理由について以下に説明する。
【００３６】
旋回流式の大便器本体においては、リム部に向けて水が供給され始めた当初においてはリム部から水が溢れない程度の流量であるにも拘わらず、当該流量を保ったままリム部への水の供給が継続されると、時間の経過と共にリム部から周囲に水が溢れ始めてしまう。
【００３７】
リム部に水が供給され始めた当初においては、リム部を旋回して流れている水、すなわち、リム部に滞留している水の量が比較的少なく、新たに供給される水を受け入れる余地があるため、リム部から水が溢れてしまうことはない。しかしながら、引き続きリム部に供給される水の流量が略一定のままであっても、リム部に滞留している水の量は次第に増加して行き、新たに供給される水を受け入れる余地が少なくなっていく。その結果、リム部に滞留している水の量が一定量を超えた時点以降においては、リム部に対して新たに供給された水が溢れてしまうこととなる。
【００３８】
リム部から水を溢れさせないことだけを考慮すれば、大便器本体に供給される洗浄水の流量、すなわちリム部に沿って旋回させる水の流量を当初から小さくすればよい。しかし、リム部に沿って旋回させる水の流量を当初から小さくした場合には、全ての水がリム部の全体を旋回することができないうちにボウル部に流下し、ボウル部の一部が洗浄されなくなってしまう場合がある。また、洗浄水の流量が不足する結果、ボウル部の表面に付着した汚物が十分には除去されず、洗浄水の供給が終了した後においてもボウル部に残ってしまう場合もある。
【００３９】
そこで、本発明のように第一工程と第二工程とが順に実行されるような構成とし、吐水部に供給される水の流量を減少させれば（第一流量から第二流量に変化させれば）、リム部に滞留している水の量が増加してリム部から水が溢れてしまう前に、吐水部に供給される水の流量を減少させることが可能となる。
【００４０】
以上のように、旋回流式の大便器本体にジェットポンプユニットを搭載した場合には、吐水部に水を供給している期間の全体において、リム部から水が溢れてしまうことを確実に防止しながら、可能な限り大流量の水を吐水部に供給することができる。その結果、高い洗浄性能と節水性能を確保することができる。
【００４１】
また、本発明に係る水洗大便器装置では、流路状態切替手段は、第一工程において吐水部に供給される水の流量が大きい程、第一工程から第二工程に移行するタイミングを早くするように構成されていることも好ましい。
【００４２】
ジェットポンプユニットによって吐水部に供給される水の流量は、例えばノズルの上流側に配置された定流量弁の機差等によって厳密には設計値通りとはならず、製品ごとにばらついてしまうことがある。その結果、第一工程から第二工程に移行するタイミングが不適切なものとなり、一部の洗浄水が無駄に供給されてしまう場合や、ボウル部の洗浄性能を確保し得ない場合が生じ得る。
【００４３】
そこで、この好ましい態様では、第一工程において吐水部に供給される水の流量が大きい程、第一工程から第二工程に移行するタイミングが早くなるように構成されている。すなわち、第一工程から第二工程に移行するタイミング（第一工程の期間の長さ）を固定するのではなく、第一工程において吐水部に供給される水の流量に応じて変化させるように構成されている。
【００４４】
第一工程において吐水部に供給される水の流量が設計値よりも大きくなった場合には、大流量の洗浄水供給を必要とする時間が短くなる。この場合、この好ましい態様では第一工程から第二工程に移行するタイミングが早くなる（第一工程の期間が短くなる）ため、大流量の洗浄水が無駄に供給されてしまうことが防止される。
【００４５】
逆に、第一工程において吐水部に供給される水の流量が設計値よりも小さくなった場合には、大流量の洗浄水供給を必要とする時間が長くなる。この場合、この好ましい態様では第一工程から第二工程に移行するタイミングが遅くなり（第一工程の期間が長くなり）、大流量の洗浄水を供給する時間が長くなる。その結果、必要な洗浄性能が確保される。
【００４６】
このように、この好ましい態様では、第一工程において吐水部に供給される水の流量の変動（ばらつき）に応じて、第一工程から第二工程に移行するタイミングが適切となるように調整される。
【００４７】
また、本発明に係る水洗大便器装置では、流路状態切替手段は、タンク内の水位が、満水位よりも低く且つ前記吸引口よりも高い位置に設定された所定水位まで低下すると、第一工程から前記第二工程に移行するように構成されていることも好ましい。
【００４８】
この好ましい態様では、タンク内の水位が、満水位よりも低く且つ吸引口よりも高い位置に設定された所定水位まで低下すると、第一工程から第二工程に移行するように構成されている。第一工程において吐水部に供給される水の流量が設計値よりも大きくなった場合には、タンク内の水位は早期に所定水位まで低下するため、第一工程から第二工程に移行するタイミングが早くなる（第一工程の期間が短くなる）。また、第一工程において吐水部に供給される水の流量が設計値よりも小さくなった場合には、タンク内の水位が低下して所定水位となるまでの時間が長くなるため、第一工程から第二工程に移行するタイミングが遅くなる（第一工程の期間が長くなる）。
【００４９】
このように、第一工程において吐水部に供給される水の流量を直接測定することなく、第一工程から第二工程に移行するタイミングを適切に調整することが可能となる。すなわち、流量計等の装置を必要とせず、簡易な構成によって、第二工程に移行するタイミングを適切に調整することが可能となる。
【００５０】
また、本発明に係る水洗大便器装置では、流路状態切替手段は、第二工程において、ジェットポンプ作用によって吸引されるタンク内の水の流量よりも小さい流量の水をタンク内に吐出するよう構成されていることも好ましい。
【００５１】
この好ましい態様では、ジェットポンプ作用で使用されるタンク内の水の流量の方が、タンク内に吐出される水の流量よりも大きいため、第二工程においても、ジェットポンプ作用によって、タンク内の水位を低下させることができる。これによって、タンク内水位が最低水位となったタイミングでジェットポンプユニットによる便器側への供給を停止させるなどの制御が可能となる。
【００５２】
また、本発明に係る水洗大便器装置では、流路状態切替手段は、第二工程において、スロート管の内部を流れる水の一部をタンク内の水没した位置に吐出するよう構成されていることも好ましい。
【００５３】
この好ましい態様では、第二工程において、流出させた水によってタンク内の水面が波立つことを防止することができる。これにより、フロートの高さによって動作するタンク内機器の誤作動を防止することが可能となる。
【００５４】
また、本発明に係る水洗大便器装置では、流路状態切替手段は、第二工程において、前記スロート管の内部を流れる水の一部をタンクの底面に向けて吐出するよう構成されていることも好ましい。
【００５５】
この好ましい態様では、流路状態切替手段は、第二工程においてスロート管の内部を流れる水の一部をタンクの底面に向けて吐出するよう構成されているので、第二工程において流出させた水によってタンク内の水面が波立つことを防止することができる。これにより、フロートの高さによって動作するタンク内機器の誤作動を防止することが可能となる。
【発明の効果】
【００５６】
本発明によれば、大便器本体にジェットポンプ式の給水機構が搭載された構成としながら、ボウル部に供給される洗浄水の総量を低減することのできる水洗大便器装置を提供することができる。
【図面の簡単な説明】
【００５７】
【図１】本発明の第一実施形態に係る水洗大便器装置を示す断面図である。
【図２】図１に示した水洗大便器装置の上面図である。
【図３】図１に示した水洗大便器装置のタンクの内部を示す図である。
【図４】図３に示したタンクの内部に配置された、ジェットポンプユニットの動作を説明するための図である。
【図５】図１に示した水洗大便器装置のタンクの内部における構成を示す図である。
【図６】図１に示した水洗大便器装置の、洗浄時における動作の流れを説明するためのフローチャートである。
【図７】ジェットポンプユニットの流路状態が切り替わることにより、リム部に供給される水の流量が変化することを説明するための図である。
【図８】リム部に供給される水の流量の変化を示すグラフである。
【図９】本発明の第二実施形態に係る水洗大便器装置の、ジェットポンプユニットの構成及び動作を説明するための図である。
【図１０】本発明の第三実施形態に係る水洗大便器装置のタンクの内部における構成を示す図である。
【図１１】本発明の第三実施形態に係る水洗大便器装置の、ジェットポンプユニットの構成を説明するための図である。
【図１２】本発明の第三実施形態に係る水洗大便器装置の、洗浄時における動作の流れを説明するためのフローチャートである
【発明を実施するための形態】
【００５８】
以下、添付図面を参照しながら本発明の実施の形態について説明する。説明の理解を容易にするため、各図面において同一の構成要素に対しては可能な限り同一の符号を付して、重複する説明は省略する。
【００５９】
本発明の第一実施形態に係る水洗大便器装置について、図１及び図２を参照しながら説明する。図１は水洗大便器装置ＦＴの断面図であって、水洗大便器装置ＦＴをその左右方向に垂直な面で切断した場合の断面を示している。図２は水洗大便器装置ＦＴの上面図である。図２では、後に説明するタンク２０の内部構造を示すため、タンク２０の上蓋２０１を取り外した状態を描いている。
【００６０】
図１及び図２に示したように、水洗大便器装置ＦＴは、大便器本体１０と、大便器本体１０の後方側（図１では右側、図２では上側）において大便器本体１０の上面１０１に設置されたタンク２０とを備えている。水洗大便器装置ＦＴは、大便器本体１０によって汚物を受け止めて、当該汚物を、タンク２０から供給される水（洗浄水）によって排水管ＳＷに排出する装置である。
【００６１】
尚、以下の説明においては、特に断らない限り、大便器本体１０に着座した状態の使用者から見て右側（図２では左側）のことを「右側」と称し、大便器本体１０に着座した状態の使用者から見て左側のことを「左側」（図２では右側）と称することとする。また、大便器本体１０に着座した状態の使用者から見て前方側（図１では左側、図２では下側）のことを「前側」又は「前方側」と称し、大便器本体１０に着座した状態の使用者から見て後方側（図１では右側、図２では上側）のことを「後側」又は「後方側」と称することとする。
【００６２】
大便器本体１０は、ボウル部１１０と、リム部１２０と、導水路１３０と、排水トラップ管路１４０とを有している。ボウル部１１０は、上方から落下する汚物を一時的に受け止める部分である。リム部１２０は、ボウル部１１０の上縁部に形成されており、図１に示したように、ボウル部１１０の内側面の一部を外周側に向けて後退させたような形状となっている。後に説明するように、リム部１２０は、ボウル部１１０に向けて供給された水が旋回して流れる流路となっている。リム部１２０は、ボウル部１１０の上縁に沿って一周するような略円形（上面視）の流路として形成されている。
【００６３】
導水路１３０は、タンク２０から供給された水をボウル部１１０に導くために、大便器本体１０の内部に形成された流路である。導水路１３０は、その一端が大便器本体１０の上面１０１に開口しており、タンク２０から供給される水の入口１３１となっている。入口１３１が形成されている位置は、大便器本体１０の上面１０１のうち後方側の部分であり、且つ左右方向における中央の部分である。
【００６４】
導水路１３０は、その下流側において二つの流路（第一導水路１３２、第二導水路１３４）に分岐している。一方の流路である第一導水路１３２は、その下流側の端部がリム部１２０のうち右側の部分において開口しており、当該開口が水の出口（吐水部１３３）となっている。タンク２０から入口１３１に水が供給されると、その一部は第一導水路１３２の内部を通り、吐水部１３３から噴出してリム部１２０に供給される。
【００６５】
他方の流路である第二導水路１３４は、その下流側の端部がリム部１２０のうち左側且つ後方寄りの部分において開口しており、当該開口が水の出口（吐水部１３５）となっている。タンク２０から入口１３１に水が供給されると、その一部は第二導水路１３４の内部を通り、吐水部１３５から噴出してリム部１２０に供給される。
【００６６】
吐水部１３３から水が噴出する方向は、略円形の流路として形成されたリム部１２０の円周に沿う方向であり、且つ上面視において反時計回りの方向となっている。吐水部１３５から水が噴出する方向も、略円形の流路として形成されたリム部１２０の円周に沿う方向であり、且つ上面視において反時計回りの方向となっている。図２において矢印で示したように、吐水部１３３及び吐水部１３５からリム部１２０に噴出した水は、いずれもリム部１２０に沿って反時計回りに旋回して流れながら、リム部１２０の全体からボウル部１１０に向けて流下する。
【００６７】
排水トラップ管路１４０は、ボウル部１１０の下端と排水管ＳＷとを接続する流路である。排水トラップ管路１４０は、ボウル部１１０の下端から下流に向かう方向に沿って上り勾配となるように形成されている上昇流路１４１と、上昇流路１４１の上端から下流に向かう方向に沿って下り勾配となるように形成されている下降流路１４２とを有している。このような構成により、ボウル部１１０の下部から上昇流路１４１の下部に亘る部分には水を貯留することが可能となっており、貯留した水によって封水ＷＴが形成されている。下降流路１４２の下端には排水管ＳＷが接続されている。排水管ＳＷは建物の内部に配置された配管であって、その下流側の端部が不図示の下水管に接続されている。
【００６８】
タンク２０からボウル部１１０に向けて水が供給されると、上記のように、当該水はリム部１２０を旋回して流れながら、リム部１２０の全体からボウル部１１０に向けて流下する。水はボウル部１１０に対して上方から追加され、ボウル部１１０の下端部から上昇流路１４１及び下降流路１４２を通って排出される。その結果、ボウル部１１０に貯留されている水（封水ＷＴ）には下向きの流れが生じることとなる。
【００６９】
ボウル部１１０において一時的に受け止められていた汚物は、上方のリム部１２０から供給される水によって下方に向けて押し込まれ、ボウル部１１０の下端に向かって移動する。その後、汚物は水流によって上昇流路１４１を通り下降流路１４２に到達して、水と共に排水管ＳＷに向けて落下する。
【００７０】
以上の説明で明らかなように、水洗大便器装置ＦＴは所謂「ウォッシュダウン式」の水洗大便器装置である。換言すれば、水洗大便器装置ＦＴは、ボウル部１１０及びその下流側の流路においてサイホン作用が誘発される方式のものではなく、タンク２０から供給される水により汚物を排水管ＳＷに向けて押し出す方式のものである。
【００７１】
タンク２０は内部に水が貯留された容器であって、当該水を導水路１３０の入口１３１に供給するためのものである。タンク２０は、第一タンク部２１０と、第一タンク部２１０の底壁２１１の一部を下方に伸ばすように形成された第二タンク部２２０とを有している。第一タンク部２１０と第二タンク部２２０はいずれも略直方体の容器であって、両者の内部空間が互いに連通している。第二タンク部２２０は、第一タンク部２１０の底壁２１１のうち後方側の部分に接続されている。
【００７２】
第一タンク部２１０の底壁２１１（第二タンク部２２０よりも前方側の部分）は、大便器本体１０の上面１０１のうち後方側の部分に対して上方から近接した状態となっている。具体的には、大便器本体１０の上面１０１のうち後方側の部分には入口１３１が形成されているが、第一タンク部２１０の底壁２１１は、入口１３１の周囲を上方から覆うように、大便器本体１０の上面１０１に対して上方から近接した状態となっている。また、底壁２１１には入口１３１と略同一形状の開口２１２が形成されており、開口２１２と入口１３１とが上面視で重なっている。このため、タンク２０の内部に貯留されている水は、開口２１２及び入口１３１を通って導水路１３０の内部に流入し、ボウル部１１０に向かって流れることが可能となっている。
【００７３】
第一タンク部２１０を上記のように配置した結果、第二タンク部２２０は大便器本体１０よりも後方に位置している。すなわち、大便器本体１０の後方側端部よりも更に後方側に位置した状態となっている。また、第二タンク部２２０の底壁２２１は、大便器本体１０の上面１０１よりも低い位置に配置されている。
【００７４】
上記のようにタンク２０が配置されることにより、タンク２０の前端部が、大便器本体１０の後端部よりも前方側に位置している。また、タンク２０の下端部が、大便器本体１０の上面１０１よりも下方側に位置している。その結果、水洗大便器装置ＦＴ全体の前後方向における寸法と、上下方向における寸法とが、いずれも小さくなっており、水洗大便器装置ＦＴのデザイン性が向上している。
【００７５】
次に、タンク２０の内部の構成について説明する。図３は、水洗大便器装置ＦＴを後方側から見た場合における、タンク２０の内部を示す斜視図である。図３に示したように、タンク２０の内部には、給水管２３１と、主弁２３３と、パイロット弁２３４と、ジェットポンプユニット３００とが配置されている。
【００７６】
給水管２３１は、主弁２３３に向けて水を供給するための管であって、第二タンク部２２０の底壁２２１から鉛直上方に向かって伸びるように配置されている。給水管２３１の下端は、タンク２０の外部において不図示の水道管に接続されている。また、給水管２３１の上端は、タンク２０の内部において主弁２３３に下方から接続されている。給水管２３１は、タンク２０の内部のうち左右方向における中央よりも左側となる位置に配置されている。
【００７７】
給水管２３１の途中（水道管と主弁２３３との間）には、図３では図示しない定流量弁２３２が配置されている。主弁２３３が開いた状態において主弁２３３に流入する水の流量は定流量弁２３２によって一定となり、水道管内の水圧によって変動することがない。
【００７８】
主弁２３３は開閉弁であって、給水管２３１からジェットポンプユニット３００に向かう水の流路の開閉を行うものである。主弁２３３とジェットポンプユニット３００との間にはバキュームブレーカー２３５が備えられており、バキュームブレーカー２３５の上流側が負圧となって水が逆流してしまうことが防止されている。尚、上記のように給水管２３１が上方に向かって伸びており、主弁２３３とバキュームブレーカー２３５とはタンク２０内の高い位置に配置されている。このため、タンク２０の水位が満水位となった状態においても、バキュームブレーカー２３５が水没してしまうことはない。
【００７９】
主弁２３３にはパイロット弁２３４が備えられており、パイロット弁２３４の動作によって主弁２３３の開閉が切り替えられる構成となっている。パイロット弁２３４には、タンク２０の外側に配置された手動レバー２３６が、タンク２０の内部に配置された伝達機構２３７を介して接続されている。また、パイロット弁２３４には、タンク２０の内部に配置されたフロート２３８が更に接続されている。
【００８０】
水洗大便器装置ＦＴの使用者によって手動レバー２３６が操作されると、当該操作が伝達機構２３７を介してパイロット弁２３４に伝達され、パイロット弁２３４が開かれる。これにより主弁２３３が開かれた状態となり、給水管２３１からジェットポンプユニット３００に向かって水が流れる。後に説明するように、ジェットポンプユニット３００に向かって流れた水は、タンク２０の内部に貯留されていた水と共に洗浄水として導水路１３０に供給される。このため、タンク２０の内部における水位は次第に低下していく。
【００８１】
ボウル部１１０の洗浄が終了した後も、主弁２３３は閉じられず、給水管２３１からジェットポンプユニット３００に向かって引き続き水が流れる。ジェットポンプユニット３００に向かって流れた水はタンク２０の内部に供給されて、次回の洗浄のために貯留される。タンク２０の内部に向けた水の供給（タンク２０への注水）が行われると、タンク２０の内部における水位は次第に上昇して行く。タンク２０の内部においてパイロット弁２３４に接続されているフロート２３８は、水位の上昇に伴って上昇し、これによりパイロット弁２３４が閉じられる。
【００８２】
このように、タンク２０の内部における水位が上昇すると、フロート２３８が受ける浮力の変化によってパイロット弁２３４が閉じられる。パイロット弁２３４が閉じられると、主弁２３３が閉じられた状態となり、給水管２３１からジェットポンプユニット３００への水の供給が停止される。この時点においてタンク２０の内部に貯留されている水の量が、次回の洗浄のために必要な量となるように（所定の満水位となるように）、フロート２３８の配置が調整されている。
【００８３】
ジェットポンプユニット３００は、給水管２３１から供給された水によりジェットポンプ作用を誘発させ、これにより導水路１３０に向けた水の供給を行うためのものである。ジェットポンプユニット３００は、ノズル３１０と、スロート管３２０とを有している。
【００８４】
ノズル３１０は、一端が接続管２３９を介してバキュームブレーカー２３５に接続されており、他端には噴射口３１１が形成されている管である。ノズル３１０は、第二タンク部２２０の底壁２２１の近傍に配置されている。主弁２３３が開かれると、給水管２３１から供給された水は接続管２３９を流れてノズル３１０に到達し、噴射口３１１から高速の水流として噴射される。ノズル３１０は、第二タンク部２２０のうち後方側且つ右側の隅（上面視における隅）に配置されている。図３に示したように、ノズル３１０はＵ字形状となっており、その下流側が上記隅から折り返されている。噴射口３１１は、その噴射方向がスロート管３２０の内部に向けられている。
【００８５】
スロート管３２０は断面が円形の管であって、底壁２１１に形成された開口２１２を一部が貫通した状態で、タンク２０の内部に配置されている。スロート管３２０の一端は導水路１３０の入口１３１に接続されており、他端には開口である吸引口３２１が形成されている。スロート管３２０は、導水路１３０の入口１３１側の部分が鉛直方向に沿っており、吸引口３２１側の部分が水平面に対して傾斜している。このため、その全体が逆Ｕ字形状となっている。図２に示したように、スロート管３２０は、上面視において前後方向に対して傾斜した状態で、タンク２０の内部に配置されている。
【００８６】
スロート管３２０の具体的な形状について更に詳しく説明する。スロート管３２０は、吸引口３２１から斜め上方に向けて伸びる上昇部３２２と、上昇部３２２の下流側（上側）に配置された屈曲部３２３と、屈曲部３２３の下流側（下側）に配置され、屈曲部３２３から下方に向かって伸びる下降部３２４とを有している。
【００８７】
上昇部３２２は、その管径が全体において均一な円筒形状の管であって、水平面に対して傾斜した状態で配置されている。吸引口３２１は上昇部３２２の下端に形成されている。吸引口３２１は、その縁の全体が水平面に沿うように（水平面と平行になるように）形成されている。
【００８８】
下降部３２４は、その管径が全体において均一な円筒形状の管であって、鉛直方向に沿って配置されている。下降部３２４の管径は、上昇部３２２の管径よりも大きい。屈曲部３２３のうち上昇部３２２側の管径は、上昇部３２２の管径に等しい。また、屈曲部３２３のうち下降部３２４側の管径は、下降部３２４の管径に等しい。このため、管径が互いに異なる上昇部３２２と下降部３２４とが、屈曲部３２３によって滑らかに繋がれているということができる。
【００８９】
図４を参照しながら、ジェットポンプユニット３００の構成及び動作について更に説明する。図４（Ａ）は、タンク２０内の水位が吸引口３２１よりも高い（例えば満水位）ときにおいてノズル３１０から水が噴射され、これによりジェットポンプ作用が誘発されている状態を模式的に示したものである。
【００９０】
主弁２３３が開かれて、ノズル３１０の噴射口３１１から水が噴射されると、噴射された高速の水が上昇部３２２の内部に向かって流れる。上昇部３２２のうち下側の部分及びノズル３１０は、タンク２０内に貯留されている水の内部に水没している。このため、タンク２０内に貯留されている水は、噴射口３１１から噴射された高速の水流によって上昇部３２２の内部に引き込まれて、導水路１３０に向かって流れる。このようなジェットポンプ作用が誘発される結果、スロート管３２０の内部では、ノズル３１０の噴射口３１１から噴射された水だけでなく、吸引口３２１の周囲から引き込まれた水も流れる。これらが導水路１３０を流れて、洗浄水として吐水部１３３、１３５からリム部１２０に供給される。
【００９１】
このように、水洗大便器装置ＦＴにおいては、ノズル３１０の噴射口３１１から噴射される水の流量よりも、リム部１２０に供給される水の流量の方が大きくなっている。換言すれば、ノズル３１０の噴射口３１１から噴射される水の流量が小さくても、洗浄水として十分な流量の水がリム部１２０に供給される。このため、水道管の水圧が小さい低い環境に水洗大便器装置ＦＴが設置された場合であっても、十分な洗浄性能を発揮することができる。
【００９２】
また、洗浄水としてリム部１２０（及びボウル部１１０）に供給される水の総量は、タンク２０の内部に予め貯留されていた水の量に、ノズル３１０の噴射口３１１から噴射された水の量を加えたものとなる。全ての洗浄水をタンク２０の内部に貯留しておく必要がないため、タンク２０は小型化されており、そのデザイン性が向上している。
【００９３】
ところで、タンク２０に貯留されている水のうち、吸引口３２１よりも下の部分に存在する水は、吸引口３２１からスロート管３２０の内部に供給されない。その結果、タンク２０の内部に残水として残ってしまう。しかし、図３等に示したように、ノズル３１０及び吸引口３２１はいずれも（狭い）第二タンク部２２０の内部に配置されている。このため、吸引口３２１よりも下の部分で残ってしまう残水の量は、比較的少なくなっている。
【００９４】
このような構成により、水洗大便器装置ＦＴでは、リム部１２０に対する水の供給が終了した時点における残水の量を少なくしている。その結果、タンク２０の内部空間のうち殆どの部分を、リム部１２０対して供給される水（残水とならない水）を貯留するための空間として利用することが可能となっており、タンク２０の大型化が抑制されている。
【００９５】
上昇部３２２の下端近傍、すなわち吸引口３２１の近傍には、流路切替部材３５０が取り付けられている。流路切替部材３５０は棒状の部材であって、その長手方向に沿った一端にはフロート３５１を有しており、他端には切替板３５２を有している。尚、流路切替部材３５０は、先に参照した図３等においては図示を省略していたものである。
【００９６】
流路切替部材３５０は、フロート３５１と切替板３５２との間の部分が、上昇部３２２の下端近傍に対して回転自在な状態で取り付けられている。図４（Ａ）に示したように、タンク２０内の水位が吸引口３２１よりも高いときにおいては、フロート３５１に加わる浮力によって流路切替部材３５０が回転する。具体的には、フロート３５１が上方に移動し、切替板３５２が下方に移動して、それぞれ図４（Ａ）に示した位置で停止する。
【００９７】
図４（Ａ）の状態においては、ノズル３１０から噴射された水は、切替板３５２には直接当たることなく上昇部の内部に流入する。その結果、既に説明したようなジェットポンプ作用が誘発され、洗浄水としての水がリム部１２０に供給される。
【００９８】
その後、タンク２０内の水がリム部１２０に供給されることにより、タンク２０内の水位は次第に低下していく。
【００９９】
図４（Ｂ）は、タンク２０内の水位が吸引口３２１の近傍まで低下し、リム部１２０への水の供給が停止した状態を模式的に示したものである。タンク２０内の水位が吸引口３２１の近傍まで低下すると、フロート３５１に加わる浮力は小さくなる。このため、図４（Ｂ）に示したように、フロート３５１が下方に移動するように流路切替部材３５０が回転する。切替板３５２は上方に移動して、ノズル３１０から噴射された水が切替板３５２に直接当たるようになる。
【０１００】
切替板３５２のうち噴射口３１１に対向する面は、凹状に湾曲した形状となっている。ノズル３１０から噴射された水が当該面に当たると、水は当該面に沿って流れて、その進行方向を略９０度変化させる。その結果、ノズル３１０から噴射された水は上昇部３２２の内部には流入せず、次回の洗浄のための水としてタンク２０に貯留される。このように、流路切替部材３５０は、ノズル３１０から噴射された水の供給先を、リム部１２０（大便器本体１０）からタンク２０へと切り替えるためのものである。
【０１０１】
図５は、タンク２０の内部における構成を模式的に示している。既に説明したように、タンク２０の内部には、給水管２３１と、主弁２３３と、ジェットポンプユニット３００とが配置されている。
【０１０２】
ボウル部１１０の洗浄が行われていない状態（待機状態）においては、タンク２０の水位は満水位となっている。水洗大便器装置ＦＴの使用者によって手動レバー２３６が操作されると、既に説明したように主弁２３３が開かれた状態となり、ノズル３１０の噴射口３１１から水が噴射される（図５の矢印ＡＲ１）。タンク２０の内部に貯留されていた水は、スロート管３２０の内部に引き込まれて（図５の矢印ＡＲ２）、洗浄水としてリム部１２０に供給される（図５の矢印ＡＲ３）。
【０１０３】
リム部１２０への水の供給が終了すると、ノズル３１０からの水の供給先が流路切替部材３５０によって切り替えられて、タンク２０への注水が開始される（図５の矢印ＡＲ４）。タンク２０内の水位は次第に上昇して行き、満水位となった時点でフロート２３８によりパイロット弁２３４が閉じられる。これと同時に主弁２３３が閉じられることによりタンク２０への注水が終了し、待機状態に戻る。
【０１０４】
タンク２０の内部におけるその他の構成について、再び図３を参照しながら説明する。図３に示したように、タンク２０の内部にはスロート管３２０の下降部３２４を囲むような隔壁２４０が配置されている。隔壁２４０は、底壁２１１から上方に向かって伸びるように形成されている。隔壁２４０、タンク２０の前側壁面２１３、左側壁面２１４、及び第一タンク部２１０の底壁２１１によって、タンク２０の内部空間の一部が区画され、小タンク２６０が構成されている。小タンク２６０は、その上部がタンク２０の内部に開放された容器であって、第一タンク部２１０のうち前方側且つ左側の隅に配置されている。スロート管３２０は、下降部３２４の下端部分が小タンク２６０の内側に配置されている。また、吸引口３２１が小タンク２６０の外側に配置されている。
【０１０５】
隔壁２４０のうち下端部近傍には開閉窓２４１が設けられている。開閉窓２４１は通常は開かれた状態となっており、開閉窓２４１を通じて小タンク２６０の内部と外部（隔壁２４０よりも後方側の空間）とが連通している。このため、ボウル部１１０の洗浄が行われていない状態（待機状態）においては、タンク２０内に貯留された水の水位と、小タンク２６０内に貯留された水の水位は等しくなっている。
【０１０６】
手動レバー２３６は二つの方向（大方向、小方向）に操作することが可能となっている。手動レバー２３６が大方向に操作された場合には、開閉窓２４１が開かれた状態のまま、パイロット弁２３４及び主弁２３３が開かれる。小タンク２６０に貯留されていた水は、開閉窓２４１を通過して第二タンク部２２０に流出し、吸引口３２１に到達する。このため、タンク２０の内部に貯留されていた水は、小タンク２６０に貯留されていた分を含む殆どが、スロート管３２０の内部に引き込まれてリム部１２０に供給される。
【０１０７】
一方、手動レバー２３６が小方向に操作された場合には、開閉窓２４１が閉じられると同時にパイロット弁２３４及び主弁２３３が開かれる。このため、タンク２０の内部に貯留されていた水のうち小タンク２６０に貯留されていた水は、開閉窓２４１を通過することができずに小タンク２６０の内部に残留したままとなる。その結果、洗浄水としてリム部１２０に供給される水の量は少量となる。
【０１０８】
尚、以下の説明において「タンク２０に貯留されている水の水位」又は「タンク２０内の水位」等というときには、小タンク２６０の外部における水位を示すものとする。すなわち、隔壁２４０によって二つに分けられた空間のうち、吸引口３２１が配置されている方の空間に貯留されている水の水位を示すものとする。小タンク２６０に貯留されている水の水位については、以下の説明では考慮しない。
【０１０９】
続いて、リム部１２０へ洗浄水として供給される水の流量（吐水部１３３、１３５に供給される水の流量といってもよい）について、図６及び７を参照しながら説明する。図６は、水洗大便器装置ＦＴの、洗浄時における動作の流れを説明するためのフローチャートである。図７（Ａ）及び（Ｂ）は、リム部１２０に供給される水の流量が変化することを説明するための図であって、ジェットポンプユニット３００の流路状態が切り替わる様子を模式的に示している。図７（Ｃ）及び（Ｄ）は、リム部１２０に供給される水の流量の変化を示すグラフである。
【０１１０】
図７（Ａ）に示したように、スロート管３２０の下降部３２４には流路状態切替手段３９０として、可動部材３９３が取り付けられている。可動部材３９３は、開閉板３９１と、フロート３９２とを有している。開閉板３９１は、下降部３２４に対して回転自在に取り付けられた板である。開閉板３９１は、その下端が下降部３２４の外側面に取り付けられており、当該下端を中心として回転することが可能となっている。
【０１１１】
フロート３９２は、タンク２０内に貯留された水から浮力を受けて、当該浮力により可動部材３９３を動作させるものである。フロート３９２は開閉板３９１の上端部近傍に固定されており、開閉板３９１と共に回転する。
【０１１２】
スロート管３２０の下降部３２４のうち、開閉板３９１と対向する位置には、開口部３２５が形成されている。開口部３２５は、タンク２０内の水位が満水位の時においては全体が水没する位置に形成されている。また、開口部３２５の下端の高さは、吸引口３２１よりも高くなっている。
【０１１３】
まず、水洗大便器装置ＦＴの使用者によって手動レバー２３６が操作されると（ステップＳ０１）、ノズル３１０から水が噴射され、既に説明したようにジェットポンプ作用によってリム部１２０に水が供給される（ステップＳ０２）。
【０１１４】
図７（Ａ）に示したように、このとき、タンク２０内の水位は高いため、フロート３９２が受ける浮力によって可動部材３９３は、開閉板３９１が下降部３２４の外側面と平行な状態となっている。その結果、開閉板３９１が開口部３２５を塞いでおり、水が開口部３２５を通ることはできない状態となっている。そのため、タンク２０内に貯留されていた水は、ジェットポンプ作用によって吸引口３２１からスロート管３２０の内部に流入した後、その全てがリム部１２０に供給される。
【０１１５】
ノズル３１０からの水の噴射が開始されてから、タンク内の水位が低下してフロート３９２の下端の位置（このときの水位を、以下では「第一水位」とも称する）となるまでの期間においては、上記のように大流量の水がリム部１２０に供給される。当該期間においてジェットポンプユニット３００から大流量の水が供給される工程を、以下では「第一工程（第一工程）」とも称する（ステップＳ０３）。
【０１１６】
タンク２０内の水位は次第に低下して行き、第一水位に達すると、これに伴ってフロート３９２の位置も次第に低下して行く。換言すれば、開閉板３９１の上端部が下降部３２４から離れて行く方向に、可動部材３９３が回転して行き、上記の第一工程は終了する（ステップＳ０４）。
【０１１７】
図７（Ｂ）は、タンク２０ｆ内の水位が低下してフロート３９２が下方に移動し、開口部３２５が開いた状態（開閉板３９１により塞がれていない状態）を示している。尚、タンク２０内の水位はこの時点でも吸引口３２１より高く、リム部１２０には引き続き水が供給されている。
【０１１８】
このとき、タンク２０内に貯留されていた水は、引き続きジェットポンプ作用によって吸引口３２１からスロート管３２０の内部に流入するが、その一部が開口部３２５を通じてスロート管３２０から流出する。その結果、リム部１２０に供給される水の流量は小さくなる。すなわち、リム部１２０に供給される水の流量が、第一工程における流量よりも低下している。このように、第一工程が終了した後、低下した流量の水が洗浄水としてリム部１２０に供給される工程を、以下では「第二工程（第二工程）」とも称する（ステップＳ０５）。第二工程は、タンク２０内の水位が更に低下して、流路切替部材３５０が図４（Ｂ）に示した状態となるまで継続される（ステップＳ０６、Ｓ０７）。
【０１１９】
尚、流路切替部材３５０のフロート３５１に加わる浮力が小さくなり、流路切替部材３５０が回転して図４（Ｂ）も示した状態となる際におけるタンク２０内の水位を、以下では「第二水位」とも称する。すなわち、第二水位とは、リム部１２０に対する洗浄水の供給が停止される際における、タンク２０内の水位である。
【０１２０】
第二工程が終了すると、既に説明したようにノズル３１０からは水が継続して噴射され、タンク２０内への水の貯留が行われる（ステップＳ０８）。タンク２０内の水位が上昇して、満水位となると、ノズル３１０からの水の噴射が停止され、タンク２０内への水の貯留が停止される（ステップＳ０９、Ｓ１０）。
【０１２１】
尚、ボウル部１１０の洗浄が行われた後において、封水ＷＴを形成するための水（リフィル水）をジェットポンプユニット３００からリム部１２０に追加供給する構成としてもよい。このようなリフィル水の供給は、第二工程が終了した時点（ステップＳ０７の直後）、又はタンク２０内への水の貯留が停止した時点（ステップＳ１０の直後）のいずれかのタイミングにおいて、開始することが望ましい。第二工程が終了した時点でリフィル水の供給を開始する場合には、タンク２０内への水の貯留と、リム部１２０へのリフィル水の追加とが同時に行われることとなる。
【０１２２】
図７（Ｃ）は、第一工程の開始時点（時刻ｔ０）から第二工程の終了時点（ｔ２００）までの期間における、リム部１２０に供給される水の流量の変化を示している。すなわち、ボウル部１１０の洗浄が行われている期間において、リム部１２０に供給される洗浄水の流量の変化を示している。同図においては、第一工程から第二工程に切り替わる時刻、すなわち、タンク２０内の水位が第一水位となる時刻を時刻ｔ１００としている。また、第一工程において吐水部１３３へ供給される水の流量をＱ1と表記し、第二工程において吐水部１３３へ供給される水の流量をＱ2と表記し、さらに第一工程及び第二工程においてノズル３１０から噴射される水の流量をＱjと表記している。
【０１２３】
既に説明したように、時刻ｔ０から時刻ｔ１００までの第一工程においては、ジェットポンプ作用による大流量の水がリム部１２０に供給される。
【０１２４】
時刻ｔ１００から時刻ｔ２００までの第二工程においては、第一工程と同様に、ジェットポンプ作用によって増幅された流量の水がリム部１２０に到達する。しかし、第二工程においては、開口部３２５が開いた状態となっているため、スロート管３２０の内部に流入した水の一部が開口部３２５を通じてスロート管３２０から流出する。つまり、ノズル３１０から噴射される水の流量及びジェットポンプ作用によって吸引口３２１に引き込まれる水の流量は、第二工程に切り替わった後も変わらず一定のままであるが、その一部が開口部３２５から流出してしまう。その結果、ジェットポンプユニット３００からリム部１２０に供給される水の流量Ｑ2は、時刻ｔ１００を境に急激に小さくなっている（流量Ｑ1から流量Ｑ2へと変化している）。
【０１２５】
ボウル部１１０の洗浄が行われている期間の途中で、リム部１２０に供給される水の流量を上記のように小さくする理由について説明する。図７（Ｃ）において一点鎖線で示した線ＯＬは、第一工程においてリム部１２０に供給される流量と、（当該流量を保ったまま第一工程を継続した場合において）リム部１２０から水が溢れてしまう時刻との関係を示している。
【０１２６】
吐水部１３３、１３５から水が噴出し、リム部１２０に水が供給され始めた当初においては、リム部１２０を旋回して流れている水、すなわち、リム部１２０に滞留している水の量は比較的少ない。このため、リム部１２０には新たに供給される水を受け入れる余地があり、リム部１２０から水が溢れてしまうことはない。
【０１２７】
しかしながら、引き続きリム部１２０に供給される水の流量が略一定のままであっても、リム部１２０に滞留している水の量は次第に増加して行き、新たに供給される水を受け入れる余地が少なくなっていく。その結果、リム部１２０に滞留している水の量が一定量（以下、「限界量」とも称する）を超えた時点以降においては、リム部１２０に対して新たに供給された水が溢れてしまうことがある。
【０１２８】
第一工程において、リム部１２０に供給される水の流量が比較的大きい場合には、リム部１２０に滞留している水の量は素早く増加するため、早期に限界量に達する。逆に、リム部１２０に供給される水の流量が比較的小さい場合には、リム部１２０に滞留している水の量はゆっくりと増加するため、限界量に達するまでには長時間を要する。従って、リム部１２０に供給される水の流量と、リム部１２０に滞留している水の量が限界量を超えは、図７（Ｃ）の線ＯＬで示したように右肩下がりの曲線となる。
【０１２９】
図７（Ｃ）に示した点線ＶＬは、仮に、時刻ｔ１００において第二工程への切り替えが行われず、第一工程が継続されることとした場合において、リム部１２０に供給される水の流量を示す線である。このように第一工程を継続した場合には、点線ＶＬは時刻ｔ１００を超えた直後の時刻ｔ１２０において、線ＯＬと重なることとなる。つまり、仮に第二工程への切り替えが行われない場合には、時刻ｔ１２０においてリム部１２０から水が溢れてしまうこととなる。
【０１３０】
そこで、本実施形態においては、時刻ｔ１２０よりも早い時刻ｔ１００で、リム部１２０に供給される水の流量を急激に減少させることにより、ボウル部に供給される洗浄水の総量を低減させている。具体的には、可動部材３９３を回転させることによって、開閉板３９１に塞がれていた開口部３２５を開放し、スロート管３２０の水の一部を流出させ、吐水部１３３から流出する水の流量を減少させる構成となっている。
【０１３１】
時刻ｔ０から時刻ｔ１００までの第一工程においては、タンク２０内でフロート３９２が水没している。このため、流路状態の切り替えは行われず、リム部１２０（吐水部１３３、１３５）には大流量且つ略一定の水がジェットポンプユニット３００から供給される。ボウル部１１０に付着した汚物は短時間のうちに除去されるため、吐水部１３３、１３５から水を吐出する時間を短縮し、節水化を図ることが可能となっている。
【０１３２】
また、時刻ｔ１００から時刻ｔ２００までの第二工程においては、タンク２０内の水位はフロート３９２よりも低い位置にある。このため、フロート３９２が水面に浮くように可動部材３９３が回転することで、開口部３２５が開いた状態になっている。このため、開口部３２５からスロート管３２０の水の一部が流出し、リム部１２０に供給される水の流量が減少する（流量Ｑ1から流量Ｑ2に変化する）。このように、フロート３９２は、リム部１２０に供給される水の流量を抑制するようにジェットポンプユニット３００の流路状態を切り替える「流路状態切替手段３９０」として機能する。
【０１３３】
尚、フロート３９２の位置（高さ）は、第一工程から第二工程へと移行するタイミングを考慮して決定される。開口部３２５が第一工程においては閉じられているようにフロート３９２位置が決定されるのが一般的であるが、第一工程において、スロート管３２０の水の一部が開口部３２５からもれ出ていてもよい。ただし、第一工程における開口部３２５からの水の流出量は、第二工程の流出量よりも小さくする必要がある。
【０１３４】
また、第二工程における、流路状態切替手段３９０によってスロート管３２０内の水の一部の流出先は、タンク２０以外の箇所とする構成とすることも可能である。しかし、この場合、流出させた水が無駄水となってしまい、タンク２０内に余分な水を貯留しておく必要がでてしまう。第二工程においてスロート管３２０内の水の一部をタンク２０内に流出させることで、タンク２０内に貯留しておく水の量を少なくすることができ、タンク２０の小型化を図ることが可能となる。
【０１３５】
また、流路切替部材３５０によって、ノズル３１０から噴射された水の供給先が、リム部１２０（大便器本体１０）からタンク２０へと切り替えられるためには、第二工程においても、タンク２０内の水位が降下する必要がある。図７（Ｄ）は、図７（Ｃ）のＱ1とＱ2との差分の流量Ｑ2#outを示すグラフである。流量Ｑ2#outは、開口部３２５からタンク２０に流出される流量を示している。そのため、図７（Ｄ）のグラフにおいて、流量Ｑ2#outが、ジェットポンプ作用によって吸引されるタンク２０内の水の流量Ｑ2−Ｑjよりも小さくなるように開口部３２５の大きさが調整されている。これによって、第二工程においてもタンク２０内の水位を低下させることができるため、タンク２０内の水位が最低水位となったタイミングでジェットポンプユニット３００による便器側への水の供給を停止させるなどの制御が可能となる。
【０１３６】
以上のように、本実施形態に係る水洗大便器装置ＦＴでは、リム部１２０に水を供給している期間（時刻ｔ０から時刻ｔ２００まで）の全体において、リム部１２０から水が溢れてしまうことを確実に防止しながら、可能な限り大流量の水をリム部１２０（吐水部１３３、１３５）に供給することが可能となっている。その結果、高い洗浄性能と節水性能とが確保されている。
【０１３７】
また本実施形態に係る水洗大便器装置ＦＴはウォッシュダウン式の水洗大便器装置であるから、洗浄水が供給されている期間の全体において、汚物の排出性能を確保しながら、ボウル部１１０に供給される洗浄水の総量を低減することができるという効果も奏する。この効果を奏する理由について以下に説明する。
【０１３８】
ウォッシュダウン式の大便器本体１０において汚物が排出されるために最低限必要となる洗浄水の流量は、洗浄の開始から終了まで常に一定ではなく、時間の経過とともに変化する。
【０１３９】
具体的には、洗浄の開始では、静止した状態でボウル部１１０内に貯留されていた水に運動量を与えて水流を形成する必要があるため、大流量（第一流量）の洗浄水を供給する必要がある。ところが、洗浄の開始に続く洗浄の途中期では、ボウル部１１０内には既に水流が形成されており、その水には慣性力が働いているのであるから、ボウル部１１０内の水流を維持するために必要な水の流量は、第一流量よりも小さくなる。
【０１４０】
このため、洗浄の開始から終了まで常に一定流量の水が供給されると、必要以上の洗浄水が供給されることになり、一部の洗浄水が無駄になってしまう。
【０１４１】
そこで本実施形態に係る水洗大便器装置ＦＴのように、第一工程と第二工程とが順に実行されるような構成とし、吐水部１３３、１３５に供給される水の流量を減少させれば（第一流量から第二流量に変化させれば）、ウォッシュダウン式の大便器本体１０においても洗浄性能を犠牲にすることなく節水性を高めることができる。
【０１４２】
また水の流量を減少させることで、大流量（第一流量）の洗浄水の供給時には排出されにくいボウル部１１０内に浮遊している軽い汚物が排出されやすくなるという利点があり、このような軽い汚物の排出性能を確保するためにも水の流量を減少させることが好ましいものである。
【０１４３】
以上のように、ウォッシュダウン式の大便器本体１０にジェットポンプユニット３００を搭載した場合には、洗浄水が供給されている期間の全体において、汚物の排出性能を確保しながら、ボウル部１１０に供給される洗浄水の総量を低減することができるという効果がある。その結果、洗浄性能を犠牲にすることなく、節水性を高めることができる。
【０１４４】
上述したウォッシュダウン式の大便器本体１０だけではなく、サイホン式の大便器本体に適用した場合でも、本実施形態に係る水洗大便器装置ＦＴのように第一工程及び第二工程を行うことで、洗浄性能を犠牲にすることなく節水性を高めることができる。その理由は、以下のとおりである。
【０１４５】
サイホン式の大便器本体とは、排水管の屈曲部を満水にしてサイホン作用を発生させることによって汚物を排水管下流側へと移動させて排出するものである。このサイホン式の大便器本体において汚物が排出されるために最低限必要となる洗浄水の流量は、洗浄の開始から終了まで常に一定なのではなく、時間の経過とともに変化する。
【０１４６】
具体的には、洗浄が開始された直後では、排水管の屈曲部を満水にしてサイホン作用を発生させる必要があるため、屈曲部が早く満水になるように大流量の洗浄水を供給する必要がある。
一方、屈曲部が一度満水になった後は、満水状態を維持するために必要な水の供給量は小さくなる。つまり、サイホン作用が発生した後は、供給される水の量が減少しても満水状態は維持され、サイホン作用は継続的に発生する。
【０１４７】
このため、洗浄の開始から終了まで常に一定流量の水が供給されると、必要以上の洗浄水が供給されることになり、一部の洗浄水が無駄になってしまう。
【０１４８】
そこで本実施形態に係る水洗大便器装置ＦＴのように、第一工程と第二工程とが順に実行されるような構成とし、吐水部１３３、１３５に供給される水の流量を減少させれば（第一流量から第二流量に変化させれば）、サイホン式の大便器本体においても洗浄性能を犠牲にすることなく節水性を高めることができる。
【０１４９】
また水の流量を減少させることで、大流量（第一流量）の供給時には排出されにくいボウル部内に浮遊している軽い汚物が排出されやすくなるという利点があり、このような軽い汚物の排出性能を確保するためにも水の流量を減少させることが好ましいものである。
【０１５０】
続いて、図８を参照しながら、ノズル３１０から噴射される水の流量がばらつくことの影響について説明する。図８のグラフＧＪ１は、ノズル３１０から噴射される水の流量の時間変化を示している。図８では、ノズル３１０から噴射される水の流量をＱjetと表記している。
【０１５１】
グラフＧＴ１は、ジェットポンプ作用によってリム部１２０に供給される水の流量を示している。第一工程では、流量Ｑjetがジェットポンプ作用によって増幅される結果、リム部１２０に対して流量Ｑ1の水が供給される。尚、図８では、時刻ｔ１００以降（第二工程）においてリム部１２０に供給される水の流量を示すグラフは描かれていない。
【０１５２】
ところで、ジェットポンプユニット３００によってリム部１２０に供給される水の流量は、例えばノズル３１０の上流側に配置された定流量弁２３２の機差等によって厳密には設計値（Ｑjet）通りとはならず、製品ごとにばらついてしまうことがある。図８のグラフＧＪ２は、ノズル３１０から噴射される水の流量が設計値通りとはならず、流量Ｑjetよりも僅かに大きい流量Ｑjet2となってしまった場合における、当該流量の時間変化を示している。このとき、大便器本体１０に供給される水の流量は、グラフＧＴ１２で示したように流量Ｑ1よりも大きい流量Ｑ12となる。
【０１５３】
図８から明らかなように、もしこのような場合においても第一工程が時刻ｔ１００まで継続されると、グラフＧＴ１２と線ＯＬとが交わることとなる。すなわち、時刻ｔ１００よりも前の時点において、リム部１２０から水が溢れてしまうこととなる。
【０１５４】
しかしながら、本実施形態においては、タンク２０内の水位が第一水位（フロート３９２の下端の位置）まで低下した時点で第一工程が終了し、第二工程への切り替えが行われるように構成されている。このため、リム部１２０に供給される水の流量が流量Ｑ１から流量Ｑ１２に増加した場合には、時刻ｔ１００よりも早い時点（時刻ｔ９０）で第一工程が終了する。その結果、図８に示したようにグラフＧＴ１２と線ＯＬとは交わっておらず、リム部１２０から水が溢れる前において第二工程への切り替えが行われることとなる。
【０１５５】
図８のグラフＧＪ３は、ノズル３１０から噴射される水の流量が設計値通りとはならず、流量Ｑjetよりも僅かに小さい流量Ｑjet3となってしまった場合における、当該流量の時間変化を示している。このとき、リム部１２０に供給される水の流量は、グラフＧＴ１３で示したように流量Ｑ1よりも小さい流量Ｑ13となる。
【０１５６】
図８から明らかなように、もしこのような場合においても第一工程を時刻ｔ１００で終了してしまうと、リム部１２０に供給される水の流量が十分に得られない状態で、第一工程から第二工程への切り替えが行われることとなる。すなわち、ボウル部１１０に供給される水の流量が十分に得られない状態で、ボウル部１１０へ供給される水の流量が減少してしまうこととなる。この場合には、第一工程における洗浄性能が十分に得られないため、ボウル部１１０の洗浄性能を確保し得ないこととなってしまう。
【０１５７】
しかしながら、本実施形態においては、タンク２０内の水位が第一水位（フロート３９２の下端の位置）に低下するまでの間は、第一工程が継続されるように構成されている。このため、大便器本体１０に供給される水の流量が流量Ｑ1から流量Ｑ13に減少した場合には、時刻ｔ１００よりも遅い時点（時刻ｔ１１０）まで第一工程が継続される。その結果、第一工程におけるボウル部１１０の洗浄性能が十分に確保される。
【０１５８】
このように、本実施形態においては、第一工程においてリム部１２０に供給される水の流量が大きい程、第一工程から第二工程に移行するタイミングが早くなるように構成されている。すなわち、第一工程から第二工程に移行するタイミング（第一工程の期間の長さ）を固定するのではなく、第一工程においてリム部１２０に供給される水の流量に応じて変化させるように構成されている。このような構成により、第一工程においてリム部１２０に供給される水の流量が変動した場合であっても、当該変動に応じて、第一工程から第二工程に移行するタイミングが適切となるように調整される。
【０１５９】
また、タンク２０内の水位が第一水位（フロート３９２の下端の位置）まで低下した時点で、第一工程から第二工程への移行が行われる構成とすることにより、上記のようなタイミングの調整が自動的に行われるようになっている。従って、第一工程においてリム部１２０に供給される水の流量を直接測定することなく、第一工程から第二工程に移行するタイミングが適切且つ自動的に調整される。すなわち、流量計等の装置を必要とせず、簡易な構成によって、第二工程に移行するタイミングが適切に且つ自動的に調整される。
【０１６０】
続いて、本発明の第二実施形態に係る水洗大便器装置ＦＴａについて説明する。水洗大便器装置ＦＴａのスロート管３２０ａの下降部３２４ａには、開閉板３９１ａが設けられている。開閉板３９１ａは、下降部３２４ａに対して回転自在に取り付けられた板である。開閉板３９１ａは、その上端が下降部３２４ａの外側面に取り付けられており、当該上端を中心として回転することが可能となっている。開閉板３９１ａには、制御部３９５ａによって駆動が制御されたモータ３９６ａが接続されている。また、制御部３９５ａは、水位センサ３９７ａとも接続しタンク２０ａ内の現在水位を監視している。
【０１６１】
スロート管３２０ａの下降部３２４ａのうち、開閉板３９１ａと対向する位置には、開口部３２５ａが形成されている。さらに開口部３２５ａには、開口口をタンク２０ａの底面に向けるようにして、逃し流路３９４ａが接続されている。逃し流路３９４ａの開口口は、タンク２０ａ内の水没した位置（最低水位より低い位置）に配置されている。水洗大便器装置ＦＴａの他の構成については水洗大便器装置ＦＴと同一となっている。このため、以下では、水洗大便器装置ＦＴと共通する構成についてはその説明を省略する。
【０１６２】
図９（Ａ）は、リム部１２０に水が供給され始めた直後（第一工程）における、ジェットポンプユニット３００の流路状態を模式的に示している。第一工程では、図９（Ａ）に示したように、水位センサ３９７ａが測定した水位５００ａが閾値５１０ａを超えている場合には、制御部３９５ａは、モータ３９６ａを駆動させない。その結果、開閉板３９１ａが開口部３２５ａを塞いでおり、水が開口部３２５ａを通ることはできない状態となっている。これによって、タンク２０ａ内に貯留されていた水は、ジェットポンプ作用によって吸引口３２１ａからスロート管３２０ａの内部に流入した後、その全てがリム部１２０ａに供給される。
【０１６３】
タンク２０ａ内の水位は次第に低下して行き、閾値５１０ａに達する。水位センサ３９７ａが測定した水位５００ａが、閾値５１０ａを下回った場合、制御部３９５ａは、モータ３９６ａを駆動させる。図９（Ｂ）は、モータ３９６ａによって開閉板３９１ａが回転し、開口部３２５ａが開いた状態（開閉板３９１ａにより塞がれていない状態）を示している。尚、タンク２０ａ内の水位はこの時点でも逃し流路３９４ａの開口口よりも高くなっている。
【０１６４】
このとき、タンク２０ａ内に貯留されていた水は、引き続きジェットポンプ作用によって吸引口３２１ａからスロート管３２０ａの内部に流入するが、その一部が開口部３２５ａを通じて逃がし流路３９４ａに供給される。逃し流路３９４ａに供給された水はタンク２０ａ内の水没した位置に吐出され、底壁２２１ａに衝突することで減速する。このように本実施形態においては、第二工程において、流出させた水によってタンク２０ａ内の水面が波立つことを防止することができる。すなわち、フロート３５１ａの高さによって動作するタンク２０ａ内機器の誤作動を防止する。
【０１６５】
続いて、本発明の第三実施形態に係る水洗大便器装置ＦＴｂについて説明する。水洗大便器装置ＦＴｂは、流量検知手段を有する点において水洗大便器装置ＦＴと異なっているが、他の構成については水洗大便器装置ＦＴと同一となっている。このため、以下では、水洗大便器装置ＦＴと共通する構成についてはその説明を省略する。
【０１６６】
図１０は、水洗大便器装置ＦＴｂのうち、タンク２０ｂ内部における構成を模式的に示している。タンク２０ｂの内部には、給水管２３１ｂと、主弁２３３ｂと、ジェットポンプユニット３００と流路状態切替手段３９０ｂと、流量検知手段６１０ｂとが配置されている。
【０１６７】
スロート管３２０ｂから流出する水のうち、流路状態切替手段３９０ｂによって切り替えられなかった水の流量（リム部１２０ｂに吐出される流量）は、流量検知手段６１０ｂによって検出される。この流量が閾値を上回ったことを流量検知手段６１０ｂが検知すると、流路状態切替手段３９０ｂによってスロート管３２０ｂ内の流路状態が切り替えられる。
【０１６８】
図１１及び図１２を参照しながら、リム部１２０ｂへ洗浄水として供給される水の流量について説明する。図１１は、ジェットポンプユニット３００ｂの構造及び動作を説明するための図であって、ジェットポンプユニット３００ｂの流路状態が切り換わる様子を模式的に示している。図１２は、水洗大便器装置ＦＴｂの、洗浄時における動作の流れを説明するためのフローチャートである。
【０１６９】
図１１（Ａ）に示したように、水洗大便器装置ＦＴｂのスロート管３２０ｂの下降部３２４ｂには、開閉板３９１ｂが設けられている。開閉板３９１ｂには、制御部３９５ｂによって駆動が制御されたモータ３９６ｂが接続されている。また、スロート管３２０ｂの下降部３２４ｂのうち、開閉板３９１ｂと対向する位置には、開口部３２５ｂが形成されている。さらに開口部３２５ｂには、便器のリム部１２０ｂ以外の箇所へ水を吐出する、逃がし流路３９４ｂが接続している。
【０１７０】
開閉板３９１ｂは、下降部３２４ｂに対して回転自在に取り付けられた板である。開閉板３９１ｂは、その下端が下降部３２４ｂの外側面に取り付けられており、当該下端を中心として回転することが可能となっている。また、スロート管３２０ｂの下降部３２４ｂと反対側の外側面には、流量検知手段として、スロート管３２０ｂの圧力を瞬間流量に換算する流量計６２０ｂが取り付けられている。
【０１７１】
まず、水洗大便器装置ＦＴｂの使用者によって手動レバー２３６ｂが操作されると（ステップＳ０１ｂ）、ノズル３１０ｂから水が噴射され、ジェットポンプ作用によってリム部１２０ｂに水が供給される（ステップＳ０２ｂ）。
【０１７２】
図１１（Ａ）は、このとき、リム部１２０ｂに水が供給され始めた直後における、ジェットポンプユニット３００ｂの流路状態を模式的に示している。制御部３９５ｂは流量計６２０ｂによって測定された積算流量（瞬間流量と時間の積）が所定の値未満である場合には、制御部３９５ｂは、モータ３９６ｂを駆動させない。その結果、開閉板３９１ｂが開口部３２５ｂを塞いでおり、水が開口部３２５ｂを通ることはできない状態となっている。タンク２０ｂ内に貯留されていた水は、ジェットポンプ作用によって吸引口３２１ｂからスロート管３２０ｂの内部に流入した後、その全てがリム部１２０ｂに供給される（第一工程、ステップＳ０３ｂ）。
【０１７３】
第一工程は、リム部１２０ｂへと供給される水の積算流量が所定量を超過するまで継続される。時間経過とともに積算流量が増加していき、上記所定量を超過すると第一工程は終了する（ステップＳ０４ｂ）。このとき、制御部３９５ｂは、モータ３９６ｂを駆動させ、開閉板３９１ｂの上端部が下降部３２４ｂから離れていく方向に、当該開閉板３９１ｂを回転させる。
【０１７４】
図１１（Ｂ）は、開閉板３９１ｂが開いた状態（開閉板３９１ｂにより塞がれていない状態）を示している。このとき、タンク２０ｂ内に貯留されていた水は、引き続きジェットポンプ作用によって吸引口３２１ｂからスロート管３２０ｂの内部に流入するが、その一部が開口部３２５ｂを通じてスロート管３２０ｂから逃がし流路３９４ｂへ流出する（第二工程、ステップＳ０５ｂ）。第二工程は、タンク２０ｂ内の水位が更に低下して、流路切替部材３５０ｂが図４（Ｂ）に示した状態となるまで継続される（ステップＳ０６ｂ、Ｓ０７ｂ）。
【０１７５】
第二工程が終了すると、既に説明したようにノズル３１０ｂからは水が継続して噴射され、タンク２０ｂ内への貯留が行われる（ステップＳ０８ｂ）。タンク２０ｂ内の水位が上昇して、満水位となると、ノズル３１０ｂからの水の噴射が停止され、タンク２０ｂ内への水の貯留が停止される（ステップＳ０９ｂ、Ｓ１０ｂ）。
【０１７６】
尚、第一工程において、開口部３２５ｂは開閉板３９１ｂによって完全に塞がれている必要はなく、スロート管３２０ｂを流れる水の一部が逃がし流路３９４ｂへ流出してもよい。ただし、逃がし流路３９４ｂへの流出量は、第二工程よりも少なくなる必要がある。
【０１７７】
このように、本実施形態においては、スロート管３２０ｂからリム部１２０ｂへと供給される水の積算流量が所定の値を超過すると制御部３９５ｂがモータ３９６ｂを駆動させ、開閉板３９１ｂが回転し、これによりスロート管３２０ｂの流路状態が切り替えられて、リム部１２０ｂへ供給される水の流量が抑制された状態（第二工程）に移行する構成となっている。
【０１７８】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【０１７９】
１０：大便器本体
２０、２０ａ、２０ｂ：タンク
１０１：上面
１１０：ボウル部
１２０、１２０ａ、１２０ｂ：リム部
１３０：導水路
１３１：入口
１３２：第一導水路
１３３：吐水部
１３４：第二導水路
１３５：吐水部
１４０：排水トラップ管路
１４１：上昇流路
１４２：下降流路
２０１：上蓋
２１０：第一タンク部
２１１：底壁
２１２：開口
２１３：前側壁面
２１４：左側壁面
２２０：第二タンク部
２２１、２２１ａ：底壁
２３１、２３１ｂ：給水管
２３２：定流量弁
２３３、２３３ｂ：主弁
２３４：パイロット弁
２３５：バキュームブレーカー
２３６、２３６ｂ：手動レバー
２３７：伝達機構
２３８：フロート
２３９：接続管
２４０：隔壁
２４１：開閉窓
２６０：小タンク
３００、３００ｂ：ジェットポンプユニット
３１０、３１０ｂ：ノズル
３１１：噴射口
３２０、３２０ａ、３２０ｂ：スロート管
３２１、３２１ａ、３２１ｂ：吸引口
３２２：上昇部
３２３：屈曲部
３２４、３２４ａ、３２４ｂ：下降部
３２５、３２５ａ、３２５ｂ：開口部
３３１：導入口
３５０、３５０ｂ：流路切替部材
３５１：フロート
３５２：切替板
３９０、３９０ｂ：流路状態切替手段
３９１、３９１ａ、３９１ｂ：開閉板
３９２：フロート
３９３：可動部材
３９４ａ、３９４ｂ：流路
３９５ａ、３９５ｂ：制御部
３９６ａ、３９６ｂ：モータ
３９７ａ：水位センサ
５００ａ：水位
５１０ａ：閾値
６１０ｂ：流量検知手段
６２０ｂ：流量計
ＡＲ１：矢印
ＡＲ２：矢印
ＡＲ３：矢印
ＡＲ４：矢印
ＦＴ、ＦＴａ、ＦＴｂ：水洗大便器
ＳＷ：排水管
ＷＴ：封水
【図１】
2015086686.tif 000003
【図２】
2015086686.tif 000004
【図３】
2015086686.tif 000005
【図４】
2015086686.tif 000006
【図５】
2015086686.tif 000007
【図６】
2015086686.tif 000008
【図７】
2015086686.tif 000009
【図８】
2015086686.tif 000010
【図９】
2015086686.tif 000011
【図１０】
2015086686.tif 000012
【図１１】
2015086686.tif 000013
【図１２】
2015086686.tif 000014